(57)【要約】【課題】  煙草の煙が隣の遊技者側に流れないように効率よく分煙して省エネルギー化を行うことが可能であり、且つ、各遊技者が快適に遊技を行うことが可能な分煙装置を提供すること。【解決手段】  遊技機の側方にエアカーテンを形成する分煙装置であって、遊技者の煙草の煙を検知する検知手段から煙検知信号を受信する煙検知受信手段と、遊技機の側方から前方に向けてエアを吹き出し、エアカーテンを形成するエアカーテン形成手段と、エアカーテン形成手段にエアの吹き出しを行わせず、煙検知信号を受信したことを契機として、エアカーテン形成手段にエアの吹き出しを行わせる制御手段とを備えたことを特徴とする分煙装置。【選択図】    図１
2007082848.tif 000002
【特許請求の範囲】
【請求項１】
遊技機の側方にエアカーテンを形成する分煙装置であって、
遊技者の煙草の煙を検知する検知手段から煙検知信号を受信する煙検知受信手段と、
前記遊技機の側方から前方に向けてエアを吹き出し、エアカーテンを形成するエアカーテン形成手段と、
前記エアカーテン形成手段にエアの吹き出しを行わせず、前記煙検知信号を受信したことを契機として、前記エアカーテン形成手段にエアの吹き出しを行わせる制御手段と
を備えたことを特徴とする分煙装置。
【請求項２】
前記遊技機の隣の遊技機で遊技を行う遊技者を検知したことを示す遊技者検知信号を受信する遊技者検知受信手段
を備え、
前記制御手段は、前記遊技者検知受信手段により遊技者検知信号を受信しなかった場合には、前記エアカーテン形成手段にエアの吹き出しを行わせないことを特徴とする請求項１に記載の分煙装置。
【請求項３】
遊技機の側方にエアカーテンを形成することが可能な分煙装置を含む分煙システムであって、
遊技者の煙草の煙を検知する検知手段から煙検知信号を受信する煙検知受信手段と、
前記遊技機の側方から前方に向けてエアを吹き出し、エアカーテンを形成するエアカーテン形成手段と、
前記エアカーテン形成手段にエアの吹き出しを行わせず、前記煙検知信号を受信したことを契機として、前記エアカーテン形成手段にエアの吹き出しを行わせる制御手段と
を備えたことを特徴とする分煙システム。
【請求項４】
前記遊技機の隣の遊技機で遊技を行う遊技者を検知したことを示す遊技者検知信号を受信する遊技者検知受信手段
を備え、
前記制御手段は、前記遊技者検知受信手段により遊技者検知信号を受信しなかった場合には、前記エアカーテン形成手段にエアの吹き出しを行わせないことを特徴とする請求項３に記載の分煙システム。
【請求項５】
遊技機島に並設された複数の各遊技機の側方にエアカーテンを形成することが可能な分煙装置であって、
前記複数の各遊技機における遊技者の煙草の煙を夫々検知する検知手段から煙検知信号を受信する煙検知受信手段と、
前記複数の各遊技機の側方から前方に向けてエアを吹き出し、エアカーテンを形成するエアカーテン形成手段と、
前記エアカーテン形成手段にエアの吹き出しを行わせず、遊技者の煙草の煙を検知した検知手段から前記煙検知信号を受信したことを契機として、該検知手段に対応する遊技機の側方から前方に向けてエアの吹き出しを行わせる制御手段と
を備えたことを特徴とする分煙装置。
【請求項６】
各遊技機で遊技を行う遊技者を夫々検知する検知手段から、遊技者を検知したことを示す遊技者検知信号を受信する遊技者検知受信手段と、
前記遊技者検知受信手段が受信した遊技者検知信号に基づいて、互いに隣り合う遊技機で遊技を行う遊技者がいるか否かを判断する判断手段と
を備え、
前記制御手段は、互いに隣り合う遊技機で遊技を行う遊技者がいないと前記判断手段により判断された場合、当該遊技機間には、エアの吹き出しを行わせないことを特徴とする請求項５に記載の分煙装置。
【請求項７】
遊技機島に並設された複数の各遊技機の側方にエアカーテンを形成することが可能な分煙装置を含む遊技機島分煙システムであって、
前記複数の各遊技機における遊技者の煙草の煙を夫々検知する検知手段から煙検知信号を受信する煙検知受信手段と、
前記複数の各遊技機の側方から前方に向けてエアを吹き出し、エアカーテンを形成するエアカーテン形成手段と、
前記エアカーテン形成手段にエアの吹き出しを行わせず、遊技者の煙草の煙を検知した検知手段から前記煙検知信号を受信したことを契機として、該検知手段に対応する遊技機の側方から前方に向けてエアの吹き出しを行わせる制御手段と
を備えたことを特徴とする遊技機島分煙システム。
【請求項８】
各遊技機で遊技を行う遊技者を夫々検知する検知手段から、遊技者を検知したことを示す遊技者検知信号を受信する遊技者検知受信手段と、
前記遊技者検知受信手段が受信した遊技者検知信号に基づいて、互いに隣り合う遊技機で遊技を行う遊技者がいるか否かを判断する判断手段と
を備え、
前記制御手段は、互いに隣り合う遊技機で遊技を行う遊技者がいないと前記判断手段により判断された場合、当該遊技機間には、エアの吹き出しを行わせないことを特徴とする請求項７に記載の遊技機島分煙システム。
【発明の詳細な説明】
【技術分野】
【０００１】
本発明は、煙草の煙が隣の遊技者側に流れないようエアカーテンにより仕切ることができる分煙装置、分煙システム及び遊技機島分煙システムに関する。
【背景技術】
【０００２】
従来、多数の遊技機を並設して構成する遊技機島を備えた遊技店内は、室内の空気を浄化する空気清浄機が設備されていることが多いが、店内が空気清浄機により清浄化されていても、遊技機の前方に座って遊技を行っている遊技者が喫煙すると、その煙草の煙が必ずしも上方へ流れるとは限らず、隣の遊技者側へもたなびくように流れる場合もある。そのため、喫煙しない隣の遊技者に対して不快感を与えることがあった。
【０００３】
そこで、近年、多数の遊技機を並設して構成する遊技機島において、各遊技機の横側方下部にはモータによって駆動する圧風ファンをそれぞれ配備し、該圧風ファンの前方側には遊技機の横側方から前方側に向けて開口する排風口を設け、該排風口からの送風により遊技機の前方側空間の横側方位にエアカーテンができるように構成した遊技空間仕切り装置が存在する（例えば、特許文献１参照）。
【０００４】
【特許文献１】特開平８−３８７２７号公報
【発明の開示】
【発明が解決しようとする課題】
【０００５】
しかしながら、特許文献１に記載の遊技空間仕切り装置では、遊技者が遊技を行っているか否かに関わらず常時作動しているため、電力の消費等、無駄が多いといった問題があった。このような問題は、遊技店側の経費節減のみならず、省エネルギー化により地球環境へ配慮する必要があるという意識の高まりからも積極的に取り組むべき問題である。
【０００６】
本発明は、上述した課題に鑑みてなされたものであり、その目的は、煙草の煙が隣の遊技者側に流れないように効率よく分煙して省エネルギー化を行うことが可能であり、且つ、各遊技者が快適に遊技を行うことが可能な分煙装置、分煙システム及び遊技機島分煙システムを提供することにある。
【課題を解決するための手段】
【０００７】
以上のような目的を達成するために、本発明は、以下のようなものを提供する。
（１）  遊技機の側方にエアカーテンを形成する分煙装置であって、
遊技者の煙草の煙を検知する検知手段から煙検知信号を受信する煙検知受信手段と、
上記遊技機の側方から前方に向けてエアを吹き出し、エアカーテンを形成するエアカーテン形成手段と、
上記エアカーテン形成手段にエアの吹き出しを行わせず、上記煙検知信号を受信したことを契機として、上記エアカーテン形成手段にエアの吹き出しを行わせる制御手段と
を備えたことを特徴とする分煙装置。
【０００８】
（１）の発明によれば、常態時には、エアカーテンが形成されず、遊技者の煙草の煙を検知した煙検知信号を検知手段（例えば、煙検知センサ）から受信したことを契機として、遊技機の側方にエアカーテンが形成される。従って、遊技機前方の遊技空間に座って遊技をする遊技者が喫煙を開始すると、当該遊技空間と隣の遊技空間とが仕切られるようにエアカーテンが形成され、煙草の煙が隣の遊技者に流れるのを防止することができ、各遊技者は、快適に遊技を行うとができる。
また、常態時には、エアカーテンが形成されず、煙検知信号を受信したことを契機として、エアカーテンが形成される。すなわち、隣の遊技機で遊技を行う遊技者に不快感を与え得る場合にのみエアカーテンが形成される。従って、必要以上にエアカーテンを形成させることを防止して効率よく分煙し、経費を節減することが可能であるとともに、省エネルギー化により地球環境へ配慮することが可能となる。
【０００９】
さらに、本発明は、以下のようなものを提供する。
（２）  上記（１）の分煙装置であって、
上記遊技機の隣の遊技機で遊技を行う遊技者を検知したことを示す遊技者検知信号を受信する遊技者検知受信手段
を備え、
上記制御手段は、上記遊技者検知受信手段により遊技者検知信号を受信しなかった場合には、上記エアカーテン形成手段にエアの吹き出しを行わせないことを特徴とする。
【００１０】
（２）の発明によれば、隣の遊技機で遊技を行う遊技者を検知したことを示す遊技者検知信号を受信しなかった場合には、エアカーテンを形成しない。従って、遊技者の煙草の煙を検知したとしても、隣の遊技機で遊技を行う遊技者がいない場合には、エアカーテンを形成しないため、より経費を節減することが可能であるとともに、省エネルギー化により地球環境へ配慮することが可能となる。
【００１１】
さらに、本発明は、以下のようなものを提供する。
（３）  遊技機の側方にエアカーテンを形成することが可能な分煙装置を含む分煙システムであって、
遊技者の煙草の煙を検知する検知手段から煙検知信号を受信する煙検知受信手段と、
上記遊技機の側方から前方に向けてエアを吹き出し、エアカーテンを形成するエアカーテン形成手段と、
上記エアカーテン形成手段にエアの吹き出しを行わせず、上記煙検知信号を受信したことを契機として、上記エアカーテン形成手段にエアの吹き出しを行わせる制御手段と
を備えたことを特徴とする分煙システム。
【００１２】
（３）の発明によれば、常態時には、エアカーテンが形成されず、遊技者の煙草の煙を検知した煙検知信号を検知手段（例えば、煙検知センサ）から受信したことを契機として、遊技機の側方にエアカーテンが形成される。従って、遊技機前方の遊技空間に座って遊技をする遊技者が喫煙を開始すると、当該遊技空間と隣の遊技空間とが仕切られるようにエアカーテンが形成され、煙草の煙が隣の遊技者に流れるのを防止することができ、各遊技者は、快適に遊技を行うとができる。
また、常態時には、エアカーテンが形成されず、煙検知信号を受信したことを契機として、エアカーテンが形成される。すなわち、隣の遊技機で遊技を行う遊技者に不快感を与え得る場合にのみエアカーテンが形成される。従って、必要以上にエアカーテンを形成させることを防止して効率よく分煙し、経費を節減することが可能であるとともに、省エネルギー化により地球環境へ配慮することが可能となる。
【００１３】
さらに、本発明は、以下のようなものを提供する。
（４）  上記（３）の分煙システムであって、
上記遊技機の隣の遊技機で遊技を行う遊技者を検知したことを示す遊技者検知信号を受信する遊技者検知受信手段
を備え、
上記制御手段は、上記遊技者検知受信手段により遊技者検知信号を受信しなかった場合には、上記エアカーテン形成手段にエアの吹き出しを行わせないことを特徴とする。
【００１４】
（４）の発明によれば、隣の遊技機で遊技を行う遊技者を検知したことを示す遊技者検知信号を受信しなかった場合には、エアカーテンを形成しない。従って、遊技者の煙草の煙を検知したとしても、隣の遊技機で遊技を行う遊技者がいない場合には、エアカーテンを形成しないため、より経費を節減することが可能であるとともに、省エネルギー化により地球環境へ配慮することが可能となる。
【００１５】
さらに、本発明は、以下のようなものを提供する。
（５）  遊技機島に並設された複数の各遊技機の側方にエアカーテンを形成することが可能な分煙装置であって、
上記複数の各遊技機における遊技者の煙草の煙を夫々検知する検知手段から煙検知信号を受信する煙検知受信手段と、
上記複数の各遊技機の側方から前方に向けてエアを吹き出し、エアカーテンを形成するエアカーテン形成手段と、
上記エアカーテン形成手段にエアの吹き出しを行わせず、遊技者の煙草の煙を検知した検知手段から上記煙検知信号を受信したことを契機として、該検知手段に対応する遊技機の側方から前方に向けてエアの吹き出しを行わせる制御手段と
を備えたことを特徴とする分煙装置。
【００１６】
（５）の発明によれば、常態時には、エアカーテンが形成されず、遊技者の煙草の煙を検知した煙検知信号を検知手段（例えば、煙検知センサ）から受信したことを契機として、該検知手段に対応する遊技機の側方にエアカーテンが形成される。従って、遊技機前方の遊技空間に座って遊技をする遊技者が喫煙を開始すると、当該遊技空間と隣の遊技空間とが仕切られるようにエアカーテンが形成され、煙草の煙が隣の遊技者に流れるのを防止することができ、各遊技者は、快適に遊技を行うとができる。
また、状態時には、エアカーテンが形成されず、煙検知信号を受信したことを契機として該検知手段に対応する遊技機の側方にエアカーテンが形成される。すなわち、隣の遊技機で遊技を行う遊技者に不快感を与え得る場合にのみエアカーテンが形成される。従って、必要以上にエアカーテンを形成させることを防止して効率よく分煙し、経費を節減することが可能であるとともに、省エネルギー化により地球環境へ配慮することが可能となる。
【００１７】
さらに、本発明は、以下のようなものを提供する。
（６）  上記（５）の分煙装置であって、
各遊技機で遊技を行う遊技者を夫々検知する検知手段から、遊技者を検知したことを示す遊技者検知信号を受信する遊技者検知受信手段と、
上記遊技者検知受信手段が受信した遊技者検知信号に基づいて、互いに隣り合う遊技機で遊技を行う遊技者がいるか否かを判断する判断手段と
を備え、
上記制御手段は、互いに隣り合う遊技機で遊技を行う遊技者がいないと上記判断手段により判断された場合、当該遊技機間には、エアの吹き出しを行わせないことを特徴とする。
【００１８】
（６）の発明によれば、互いに隣り合う遊技機で遊技を行う遊技者がいないと判断した場合、当該遊技機間には、エアカーテンを形成しない。従って、遊技者の煙草の煙を検知したとしても、喫煙する遊技者の隣の遊技機で遊技を行う遊技者がいない場合には、エアカーテンを形成しないため、より経費を節減することが可能であるとともに、省エネルギー化により地球環境へ配慮することが可能となる。
【００１９】
さらに、本発明は、以下のようなものを提供する。
（７）  遊技機島に並設された複数の各遊技機の側方にエアカーテンを形成することが可能な分煙装置を含む遊技機島分煙システムであって、
上記複数の各遊技機における遊技者の煙草の煙を夫々検知する検知手段から煙検知信号を受信する煙検知受信手段と、
上記複数の各遊技機の側方から前方に向けてエアを吹き出し、エアカーテンを形成するエアカーテン形成手段と、
上記エアカーテン形成手段にエアの吹き出しを行わせず、遊技者の煙草の煙を検知した検知手段から上記煙検知信号を受信したことを契機として、該検知手段に対応する遊技機の側方から前方に向けてエアの吹き出しを行わせる制御手段と
を備えたことを特徴とする遊技機島分煙システム。
【００２０】
（７）の発明によれば、常態時には、エアカーテンが形成されず、遊技者の煙草の煙を検知した煙検知信号を検知手段（例えば、煙検知センサ）から受信したことを契機として、該検知手段に対応する遊技機の側方にエアカーテンが形成される。従って、遊技機前方の遊技空間に座って遊技をする遊技者が喫煙を開始すると、当該遊技空間と隣の遊技空間とが仕切られるようにエアカーテンが形成され、煙草の煙が隣の遊技者に流れるのを防止することができ、各遊技者は、快適に遊技を行うとができる。
また、状態時には、エアカーテンが形成されず、煙検知信号を受信したことを契機として該検知手段に対応する遊技機の側方にエアカーテンが形成される。すなわち、隣の遊技機で遊技を行う遊技者に不快感を与え得る場合にのみエアカーテンが形成される。従って、必要以上にエアカーテンを形成させることを防止して効率よく分煙し、経費を節減することが可能であるとともに、省エネルギー化により地球環境へ配慮することが可能となる。
【００２１】
さらに、本発明は、以下のようなものを提供する。
（８）  上記（７）の遊技機島分煙システムであって、
各遊技機で遊技を行う遊技者を夫々検知する検知手段から、遊技者を検知したことを示す遊技者検知信号を受信する遊技者検知受信手段と、
上記遊技者検知受信手段が受信した遊技者検知信号に基づいて、互いに隣り合う遊技機で遊技を行う遊技者がいるか否かを判断する判断手段と
を備え、
上記制御手段は、互いに隣り合う遊技機で遊技を行う遊技者がいないと上記判断手段により判断された場合、当該遊技機間には、エアの吹き出しを行わせないことを特徴とする。
【００２２】
（８）の発明によれば、互いに隣り合う遊技機で遊技を行う遊技者がいないと判断した場合、当該遊技機間には、エアカーテンを形成しない。従って、遊技者の煙草の煙を検知したとしても、喫煙する遊技者の隣の遊技機で遊技を行う遊技者がいない場合には、エアカーテンを形成しないため、より経費を節減することが可能であるとともに、省エネルギー化により地球環境へ配慮することが可能となる。
【発明の効果】
【００２３】
本発明によれば、煙草の煙が隣の遊技者側に流れないように効率よく分煙して省エネルギーを行うことが可能であり、且つ、各遊技者が快適に遊技を行うことが可能な分煙装置、分煙システム及び遊技機島分煙システムを提供することができる。
【発明を実施するための最良の形態】
【００２４】
［第１実施形態］
図１は、第１実施形態に係る分煙装置の一例を模式的に示す正面図である。
なお、図１では、分煙装置が配置される位置を説明するために、遊技機島の一部とパチスロ遊技装置とメダル貸し機とについても図示している。
【００２５】
遊技店内に備えられた遊技機島の天板５０の上方には、パチスロ遊技装置１が横一列に並設している。パチスロ遊技装置１の側方には、メダル貸し機９０が配置されており、その下方には分煙装置９５が配置されている。
【００２６】
分煙装置９５には、上方左側に人体検知センサ９６、上方右側に煙センサ９７、下方に送風機９８が備えられている。分煙装置９５では、パチスロ遊技装置１に向かい、椅子１０（図２参照）に座って遊技を行う遊技者が煙草を吸うと、その煙を煙センサ９７が検知する。煙草の煙を検知すると、送風口９８ａから前方上向きにエアが吹き出される。
【００２７】
図２は、図１に示した分煙装置の平面図であり、図３は、図１に示した分煙装置の側面断面図である。
図２、図３に示すように、送風口９８ａからエア９９が吹き出されると、当該パチスロ遊技装置１の前方且つ側方に、下方から上方へ向かうエアの気流により、エアカーテンが形成される。
【００２８】
また、分煙装置９５では、分煙装置９５の右側に併設されたパチスロ遊技装置１で遊技を行う遊技者を人体検知センサ９６が検知する。そして、遊技者を検知した場合には、右隣の分煙装置９５に遊技者検知信号を送信する。煙を検知した分煙装置９５では、左隣の分煙装置９５から遊技者検知信号を受信した場合には、エアの吹き出しを行い、受信しなかった場合には、エアの吹き出しを行わない。
なお、各分煙装置９５の位置関係は、例えば、ＩＰアドレスを割り当てることにより識別することができる。
【００２９】
このように、第１実施形態に係る分煙装置９５では、煙を検知した場合にのみエアの吹き出しを行い、また、煙を検知した場合であっても、隣のパチスロ遊技装置１で遊技を行う遊技者がいなければ、エアの吹き出しを行わない。
【００３０】
図４は、図１に示した分煙装置の内部構成を示すブロック図である。
分煙装置９５が備えるＣＰＵ９２は、分煙に係る各種の処理を実行する。
ＣＰＵ９２には、ＲＯＭ９３、ＲＡＭ９４、人体検知センサ９６、煙センサ９７、送風機９８、通信用インターフェイス回路９１が接続されている。
【００３１】
煙センサ９７は、煙を検知すると、煙検知信号を出力する。また、人体検知センサ９６は、遊技者を検知すると所定の検知信号を出力する。煙センサとしては、例えば、光学式のものやイオン化式のもの、また、人体検知センサとしては、例えば、赤外線式のもの等、従来公知の技術を採用することができる。また、本実施形態では人体検知センサにより遊技者の有無を検知する場合について説明するが、本発明においては椅子１０に着座センサが設けられていることとしてもよい。
【００３２】
ＲＯＭ９３は、分煙を制御するためのプログラム等各種のプログラムを記憶している。また、ＲＡＭ１２には、分煙処理を行うための各種のデータが一時的に記憶される。また、送風機９８は、パチスロ遊技装置１の側方から前方に向けてエアを吹き出し、エアカーテンを形成するエアカーテン形成手段として機能するものである。
【００３３】
ＣＰＵ９２は、人体検知センサ９６からの信号に基づいて、遊技者を検知したことを示す遊技者検知信号を、通信用インターフェイス回路９１を介して右隣の分煙装置９５に送信する。
【００３４】
また、制御手段としてのＣＰＵ９２は、常態時（煙が検知されていない時）には、送風機９８にエアの吹き出しを行わせないが、煙センサ９７から煙検知信号を受信すると、エアの吹き出しを開始させる。また、ＣＰＵ９２は、煙センサ９７から煙検知信号を受信した場合であっても、左隣の分煙装置９５から、遊技者検知信号を受信しなかった場合には、エアの吹き出しを行わせず、遊技者検知信号を受信した場合には、エアの吹き出しを行わせる。
【００３５】
図５は、図１に示した分煙装置において行われる分煙処理のサブルーチンを示すフローチャートである。
まず、ＣＰＵ９２は、煙センサ９７から煙検知信号を受信したか否かを判断する（ステップＳ１０）。この処理において、ＣＰＵ９２は、煙センサ９７から煙検知信号を受信する煙検知受信手段として機能する。
煙検知信号を受信したと判断した場合、ＣＰＵ９２は、左隣の分煙装置９５から遊技者検知信号を受信したか否かを判断し（ステップＳ１１）、左隣の分煙装置９５から遊技者検知信号を受信したと判断した場合（ステップＳ１１：ＹＥＳ）、エアの吹き出しを行う（ステップＳ１２）。ステップＳ１１の処理において、ＣＰＵ９２は、遊技者検知信号を受信する遊技者検知受信手段として機能する。
【００３６】
ステップＳ１０において煙検知信号を受信しなかった場合、ステップＳ１１において左隣の分煙装置９５から遊技者検知信号を受信しなかった場合、又は、ステップＳ１２の処理の後、ＣＰＵ９２は、遊技者を検知したか否かを判断する（ステップＳ１３）。
遊技者を検知したと判断した場合、ＣＰＵ９２は、右隣の分煙装置９５に遊技者検知信号を送信する（ステップＳ１４）。ステップＳ１３において遊技者を検知しなかった場合、又は、ステップＳ１４の処理の後、本サブルーチンを終了する。
【００３７】
第１実施形態では、分煙装置９５がＣＰＵ９２、ＲＯＭ９３、ＲＡＭ９４、人体検知センサ９６、煙センサ９７、送風機９８、通信用インターフェイス回路９１を備えている場合について説明したが、本発明においては、これらの構成要素のうち、いくつかを他の装置（例えば、パチスロ遊技装置やメダル貸し機等）が備え、分煙装置と当該他の装置とからなる分煙システムであってもよい。また、他の装置が分煙装置の機能を備えていてもよい。
【００３８】
以上、第１実施形態に係る分煙装置９５によれば、常態時には、エアカーテンが形成されず、遊技者の煙草の煙を検知した煙検知信号を煙センサ９７から受信したことを契機として、パチスロ遊技装置１の側方にエアカーテンが形成される。従って、パチスロ遊技装置１の前方の遊技空間（例えば、椅子１０）に座って遊技をする遊技者が喫煙を開始すると、当該遊技空間と隣の遊技空間とが仕切られるようにエアカーテンが形成され、煙草の煙が隣の遊技者に流れるのを防止することができ、各遊技者は、快適に遊技を行うとができる。
また、常態時には、エアカーテンが形成されず、煙検知信号を受信したことを契機として、エアカーテンが形成される。すなわち、隣のパチスロ遊技装置１で遊技を行う遊技者に不快感を与え得る場合にのみエアカーテンが形成される。従って、必要以上にエアカーテンを形成させることを防止して効率よく分煙し、経費を節減することが可能であるとともに、省エネルギー化により地球環境へ配慮することが可能となる。
【００３９】
［第２実施形態］
次に、第２実施形態に係る遊技機島分煙システムについて説明する。第２実施形態に係る遊技機島分煙システムは、各パチスロ遊技装置１の側方に配置されている複数の分煙装置と、上記複数の分煙装置と通信回線により接続された制御装置とから構成されている。なお、第２実施形態に係る分煙装置は、他の分煙装置とのデータの送受信は行わず、制御装置とのみデータの送受信を行う点を除いて、第１実施形態に係る分煙装置と略同様の外観（図１〜図３参照）及び回路構成等（図４）を有するものであるから、ここでは、分煙装置についての説明は省略することとし、制御装置の構成について説明することとする。なお、第１実施形態に係る分煙装置と対応する構成要素には同一の符号を付して説明することとする。
【００４０】
また、第２実施形態は、制御装置が分煙処理を実行する点で第１実施形態と異なる。そこで、ここでは、制御装置１００が実行する分煙処理について説明することとする。
【００４１】
図６は、第２実施形態に係る遊技機島分煙システムの一例を示すネットワーク構成図である。
遊技機島分煙システム２００は、制御装置１００と、制御装置１００と通信回線により接続された複数の分煙装置９５とからなる。
分煙装置９５は、煙を検知すると、煙検知信号を制御装置１００に送信する。また、分煙装置９５は、パチスロ遊技装置１で遊技を行う遊技者を検知すると、遊技者検知信号を制御装置１００に送信する。
【００４２】
制御装置１００は、煙検知信号に基づいて、当該煙検知信号を送信した分煙装置９５に対応するパチスロ遊技装置１の側方に位置する送風機９８にエアの吹き出しを行わせる。
また、制御装置１００は、各分煙装置９５から受信した遊技者検知信号に基づいて、互いに隣り合うパチスロ遊技装置１で遊技を行う遊技者がいるか否かを判断する。そして、煙検知信号を受信した場合に、当該煙検知信号に係るパチスロ遊技装置１の隣のパチスロ遊技装置１で遊技を行う遊技者がいると判断した場合には、当該パチスロ遊技装置１間にエアの吹き出しを行わせ、受信しなかった場合には、エアの吹き出しを行わせない。
【００４３】
図７は、図６に示した制御装置１００の内部構成を示すブロック図である。
制御装置１００が備えるＣＰＵ１０２は、分煙に係る各種の処理を実行する。
ＣＰＵ１０２には、ＲＯＭ１０４、ＲＡＭ１０６、通信用インターフェイス回路１０８が接続されている。各分煙装置９５とのデータの送受信は、通信用インターフェイス回路１０８を介して行われる。
【００４４】
ＲＯＭ１０４は、分煙を制御するためのプログラム等各種のプログラムを記憶している。また、ＲＡＭ１０６には、分煙処理を行うための各種のデータが一時的に記憶される。
【００４５】
ＣＰＵ１０２は、分煙装置９５を介して人体検知センサ９６から遊技者検知信号を受信する。
また、ＣＰＵ１０２は、各分煙装置９５から受信した遊技者検知信号に基づいて互いに隣り合うパチスロ遊技装置１で遊技を行う遊技者がいるか否かを判断する。
【００４６】
また、制御手段としてのＣＰＵ１０２は、常態時（煙が検知されていない時）には、分煙装置９５が備える送風機９８にエアの吹き出しを行わせないが、いずれかの煙センサ９７から煙検知信号を受信すると、当該煙検知信号に係るパチスロ遊技装置１の側方にある分煙装置９５に対してエアの吹き出しを開始させる。
また、ＣＰＵ１０２は、煙センサ９７から煙検知信号を受信した場合であっても、当該パチスロ遊技装置１の隣のパチスロ遊技装置１で遊技を行う遊技者がいないと判断した場合には、当該パチスロ遊技装置１間にある分煙装置９５に対してエアの吹き出しを行わせない。
【００４７】
図８は、図７に示した分煙装置において行われる分煙処理のサブルーチンを示すフローチャートである。
まず、ＣＰＵ１０２は、いずれかの分煙装置９５を介して煙センサ９７から煙検知信号を受信したか否かを判断する（ステップＳ２０）。この処理を実行するとき、ＣＰＵ１０２は、複数の各パチスロ遊技装置１で遊技者を行う遊技者の煙草の煙を夫々検知する煙センサ９７から煙検知信号を受信する煙検知受信手段として機能する。
【００４８】
いずれの煙センサ９７からも煙検知信号を受信していない場合、本サブルーチンを終了する。一方、いずれかの分煙装置９５から煙検知信号を受信した場合、各分煙装置９５に対して遊技者検知信号の送信を要求し、分煙装置９５を介して人体検知センサ９６から遊技者検知信号を受信する（ステップＳ２１）。この処理を実行するとき、ＣＰＵ１０２は、各パチスロ遊技装置１で遊技を行う遊技者を夫々検知する人体検知センサ９６から、遊技者検知信号を受信する遊技者検知受信手段として機能する。
【００４９】
次に、ステップＳ２２において、ＣＰＵ１０２は、各分煙装置９５から受信した遊技者検知信号に基づいて互いに隣り合うパチスロ遊技装置１で遊技を行う遊技者がいるか否かを判断する。隣り合うパチスロ遊技装置１で遊技を行う遊技者がいると判断した場合、当該パチスロ遊技装置１間にある分煙装置９５に対してエアの吹き出しを行わせる（ステップＳ２４）。
ステップＳ２３において隣り合うパチスロ遊技装置１で遊技を行う遊技者がいないと判断した場合、又は、ステップＳ２４の処理の後、本サブルーチンを終了する。
【００５０】
第２実施形態に係る遊技機島分煙システムでは、煙検知受信手段（ＣＰＵ１０２）と検知受信手段（ＣＰＵ１０２）と判断手段（ＣＰＵ１０２）と制御手段（ＣＰＵ１０２）とを制御装置１００が備え、エアカーテン形成手段（送風機９８）を分煙装置９５が備える場合について説明したが、本発明においては、これらの構成要素を夫々制御装置と分煙装置とのいずれが備えていてもよく、また、これらの構成要素の一部又は全部をその他の装置が兼ね備えていてもよい。また、本発明においては、これらの構成要素をすべて兼ね備えた分煙装置であってもよい。
【００５１】
以上、第２実施形態に係る遊技機島分煙システムによれば、常態時には、エアカーテンが形成されず、煙検知信号を煙センサ９７から受信したことを契機として、該煙センサ９７に対応するパチスロ遊技装置１の側方にエアカーテンが形成される。従って、パチスロ遊技装置１の前方の遊技空間に座って遊技をする遊技者が喫煙を開始すると、当該遊技空間と隣の遊技空間とが仕切られるようにエアカーテンが形成され、煙草の煙が隣の遊技者に流れるのを防止することができ、各遊技者は、快適に遊技を行うとができる。
また、常態時には、エアカーテンが形成されず、煙検知信号を受信したことを契機として該煙センサ９７に対応する遊パチスロ遊技装置１の側方にエアカーテンが形成される。すなわち、隣の遊技機で遊技を行う遊技者に不快感を与え得る場合にのみエアカーテンが形成される。従って、必要以上にエアカーテンを形成させることを防止して効率よく分煙し、経費を節減することが可能であるとともに、省エネルギー化により地球環境へ配慮することが可能となる。
【００５２】
また、第２実施形態に係る遊技機島分煙システムによれば、互いに隣り合うパチスロ遊技装置１で遊技を行う遊技者がいないと判断した場合、当該パチスロ遊技装置１間には、エアカーテンを形成しない。従って、遊技者の煙草の煙を検知したとしても、喫煙する遊技者の隣のパチスロ遊技装置１で遊技を行う遊技者がいない場合には、エアカーテンを形成しないため、より経費を節減することが可能であるとともに、省エネルギー化により地球環境へ配慮することが可能となる。
【００５３】
本実施形態では、煙センサ９７がパチスロ遊技装置１の側方に備えられている場合について説明したが、本発明において煙を検知する検知手段は、例えば、遊技機の正面上方にあってもよく、その位置は特に限定されるものではない。
【００５４】
また、本実施形態では、送風機９８がパチスロ遊技装置１の側方且つ下方に備えられている場合について説明したが、本発明においては、例えば、遊技機の側方且つ上方に備えられていてもよく、遊技機の側方にエアカーテンが形成されればよい。なお、本実施形態のように、送風機９８から吹き出されるエアは、下方から上方に吹き出されることが望ましい。その気流によって煙草の煙が上方へ向かうため、他の遊技者に当たることなく天井側へ誘導できるからである。
【００５５】
また、本実施形態では、パチスロ遊技装置の側方にエアカーテンを形成する場合について説明したが、本発明においては、パチスロ遊技装置に限定されず、パチンコ遊技装置やアーケードゲーム機等の遊技機にも適用可能である。
【００５６】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００５７】
【図１】第１実施形態に係る分煙装置の一例を模式的に示す正面図である。
【図２】図１に示した分煙装置の平面図である。
【図３】図１に示した分煙装置の側面断面図である。
【図４】図１に示した分煙装置の内部構成を示すブロック図である。
【図５】図１に示した分煙装置において行われる分煙処理のサブルーチンを示すフローチャートである。
【図６】第２実施形態に係る遊技機島分煙システムの一例を示すネットワーク構成図である。
【図７】図６に示した制御装置の内部構成を示すブロック図である。
【図８】図７に示した分煙装置において行われる分煙処理のサブルーチンを示すフローチャートである。
【符号の説明】
【００５８】
１  パチスロ遊技装置
５０  天板
９０  メダル貸し機
９１  通信用インターフェイス回路
９２  ＣＰＵ
９３  ＲＯＭ
９４  ＲＡＭ
９５  分煙装置
９６  人体検知センサ
９７  煙センサ
９８  送風機
９８ａ  送風口
９９  エア
１００  制御装置
１０２  ＣＰＵ
１０４  ＲＯＭ
１０６  ＲＡＭ
１０８  通信用インターフェイス回路
【図１】
2007082848.tif 000003
【図２】
2007082848.tif 000004
【図３】
2007082848.tif 000005
【図４】
2007082848.tif 000006
【図５】
2007082848.tif 000007
【図６】
2007082848.tif 000008
【図７】
2007082848.tif 000009
【図８】
2007082848.tif 000010